(57)【要約】      （修正有）【課題】何等の頭髪栄養剤を使用することなく、毛髪に超音波、マイナスイオンを作用させつつ、毛髪を簡略、かつ、適正にトリートメントすることができる新規で斬新な毛髪トリートメント装置を提供する。【解決手段】各々基端側を軸支部３により開閉可能に軸支され、各突出側の対向面側に毛髪を挟み込む髪押圧部、髪受部１４を設けた一対の握り片１１、１２を有する装置本体２と、髪押圧部を経て挟み込まれた毛髪に超音波振動を作用させる超音波発生手段、及び毛髪にマイナスイオンを作用させるイオン発生手段と、超音波発生手段及びイオン発生手段の動作選択を行うスイッチ類、動作状態を示すランプ類を備えた操作部２７と、装置本体２に対する所要の電力供給を行う電力供給部４１と、一対の握り片１１、１２の開閉に連動して、開状態でオフとなるとともに、閉状態でオンとなり電力供給部４１から装置本体２への通電を実行する動作スイッチとを有する。【選択図】図１
2014233372.tif 000002
【特許請求の範囲】
【請求項１】
各々基端側を軸支部により開閉可能に軸支され、各突出側の対向面側に毛髪を挟み込む髪押圧部、髪受部を設けた一対の握り片を有する装置本体と、
前記装置本体に搭載され、前記髪押圧部を経て挟み込まれた毛髪に超音波振動を作用させる超音波発生手段、及び前記毛髪にマイナスイオンを作用させるイオン発生手段と、
前記握り片の外面に設けられ、前記超音波発生手段及びイオン発生手段の動作選択を行うスイッチ類、動作状態を示すランプ類を備えた操作部と、
商用電源にケーブル接続されることで、前記装置本体に対する所要の電力供給を行う電力供給部と、
前記一対の握り片の開閉に連動して、開状態でオフとなるとともに、閉状態でオンとなり電力供給部から装置本体への通電を実行する動作スイッチと、
を有することを特徴とする毛髪トリートメント装置。
【請求項２】
各々基端側を軸支部により開閉可能に軸支され、各突出側の対向面側に毛髪を挟み込む髪押圧部、髪受部を設けた一対の握り片を有する装置本体と、
前記装置本体に搭載され、前記髪押圧部を経て挟み込まれた毛髪に超音波振動を作用させる超音波発生手段、及び前記毛髪にマイナスイオンを作用させるイオン発生手段と、
前記握り片の外面領域に設けられ、前記超音波発生手段及びイオン発生手段の動作選択を行うスイッチ類、動作状態を示すランプ類を備えた操作部と、
商用電源と前記装置本体の握り片の後端部との間にケーブル接続されることで、前記握り片の後端部を経て装置本体に対する所要の電力供給を行う電力供給部と、
前記軸支部よりも後端部側に配置され、一対の握り片の開閉に連動して、開状態でオフとなるとともに、閉状態でオンとなり電力供給部から装置本体への通電を実行する動作スイッチと、
前記握り片の後端部におけるケーブル接続部に設けたケーブルの絡みを防止する絡み防止接続機構部と、
を有することを特徴とする毛髪トリートメント装置。
【請求項３】
各々基端側を軸支部により開閉可能に軸支され、各突出側の対向面側に毛髪を挟み込む長楕円形状、長方形状又は略円形状から選択される形状の髪押圧部、髪受部を設けた一対の握り片を有する装置本体と、
前記装置本体に搭載され、前記髪押圧部を経て挟み込まれた毛髪に超音波振動を作用させる超音波発生手段、及び前記毛髪にマイナスイオンを作用させるイオン発生手段と、
前記握り片の外面領域に設けられ、前記超音波発生手段及びイオン発生手段の動作選択を行うスイッチ類、動作状態を示すランプ類を備えた操作部と、
商用電源と前記装置本体の握り片の後端部との間にケーブル接続されることで、握り片の後端部を経て装置本体に対する所要の電力供給を行うＡＣプラグ、電源ケーブル、ＡＣ・ＤＣアダプタ、通電ケーブルを具備する電力供給部と、
前記軸支部よりも後端部側に配置され、一対の握り片の開閉に連動して、開状態でオフとなるとともに、閉状態でオンとなり電力供給部から装置本体への通電を実行する動作スイッチと、
前記握り片の後端部におけるケーブル接続部に設けたケーブルの絡みを防止する絡み防止接続機構部と、
を有することを特徴とする毛髪トリートメント装置。
【請求項４】
各々基端側を軸支部により開閉可能に軸支され、各突出側の対向面側に毛髪を挟み込む長楕円形状、長方形状又は略円形状から選択される形状の髪押圧部、髪受部を設けた一対の握り片を有する装置本体と、
前記装置本体に搭載され、前記髪押圧部を経て挟み込まれた毛髪に超音波振動を作用させる超音波発生手段、及び前記毛髪にマイナスイオンを作用させるイオン発生手段と、
前記握り片の外面領域に設けられ、前記超音波発生手段及びイオン発生手段の動作選択を行うスイッチ類、動作状態を示すランプ類を備えた操作部と、
前記握り片に搭載されるとともに、充電用接点を握り片の下面に露出配置した充電バッテリーと、
前記充電バッテリーの充電用接点に接触させる電源側接点を備え、装置本体を着脱可能とした充電用ユニットと、
この充電用ユニットに商用電源からの交流電圧を直流電圧に変換して電力供給し前記充電バッテリーを充電する電力供給部と、
前記軸支部よりも後端部側に配置されて、一対の握り片の開閉に連動して、開状態でオフとなるとともに、閉状態でオンとなり前記充電バッテリーから装置本体へケーブルレス・バッテリ充電式の構成の基に通電を実行する動作スイッチと、
を有することを特徴とする毛髪トリートメント装置。
【請求項５】
前記スイッチ類は、イオン発生手段の動作の切り換えにより、マイナスイオン発生状態、プラスイオン発生状態の切り換えが自在にできるように構成したものであることを特徴とする請求項１乃至４記載の毛髪トリートメント装置。
【発明の詳細な説明】
【技術分野】
【０００１】
本発明は、毛髪に超音波、マイナスイオンを作用させつつ毛髪を簡略、かつ、適正にトリートメントすることができ、何等の頭髪栄養剤を使用する必要が無く、パーマ剤やストレートパーマ剤を使用してトリートメントするような場合には、毛髪に超音波、マイナスイオンを作用させつつパーマ剤やストレートパーマ剤の髪への浸透を良好にしながら毛髪を簡略、かつ、適正にトリートメントすることができる新規で斬新な毛髪トリートメント装置に関するものである。
【背景技術】
【０００２】
従来から毛髪にトリートメント溶液を用いながらトリートメントするための各種毛髪トリートメント装置が開発され提案されている。
【０００３】
例えば、特許文献１には、毛髪へ有効成分を付与する際の前処理溶液あるいは後処理溶液であるトリートメント溶液（適宜の頭髪栄養剤）を用いて、握り柄の先端側における内面の毛髪挟持部の先端に超音波ミスト生成部とその内面にミスト噴出口を配設して、握り柄の先端側における内面の長手方向にイオン化用電極と遠赤外線照射面を並置し、握り柄基部後端に外部の制御電源装置に接続する配線コードを設けたトリートメント器具と、イオン化回路部、遠赤外線発生用電源部及び超音波発生用電源部を内蔵し、トリートメント器具のイオン化用電極と反対極性のイオン化用電極面を先端に有するイオン導入用配線コードを具備する制御電源装置とを備えた毛髪への有効成分のイオン導入及び遠赤外線付与トリートメント装置が提案されている。
【０００４】
しかし、このトリートメント装置は、トリートメント器具の握り柄側に超音波ミスト生成部、イオン化用電極、遠赤外線照射面を設け、制御電源装置側にイオン化回路部、遠赤外線発生用電源部及び超音波発生用電源部を内蔵する等の極めて複雑な構成からなるものである。
【先行技術文献】
【特許文献】
【０００５】
【特許文献１】特開２００６−８７６２８号公報
【発明の概要】
【発明が解決しようとする課題】
【０００６】
本発明が解決しようとする問題点は、何等の頭髪栄養剤を使用することなく、毛髪に超音波、マイナスイオンを作用させつつ毛髪を簡略、かつ、適正にトリートメントすることができるとともに、パーマ剤やストレートパーマ剤を使用してトリートメントするような場合には、毛髪に超音波、マイナスイオンを作用させつつパーマ剤やストレートパーマ剤の髪への浸透を良好にしながら毛髪を簡略、かつ、適正にトリートメントすることができる簡略構成の毛髪トリートメント装置が存在しない点である。
【課題を解決するための手段】
【０００７】
本発明に係る毛髪トリートメント装置は、各々基端側を軸支部により開閉可能に軸支され、各突出側の対向面側に毛髪を挟み込む髪押圧部、髪受部を設けた一対の握り片を有する装置本体と、前記装置本体に搭載され、前記髪押圧部を経て挟み込まれた毛髪に超音波振動を作用させる超音波発生手段、及び前記毛髪にマイナスイオンを作用させるイオン発生手段と、前記握り片の外面に設けられ、前記超音波発生手段及びイオン発生手段の動作選択を行うスイッチ類、動作状態を示すランプ類を備えた操作部と、商用電源にケーブル接続されることで、前記装置本体に対する所要の電力供給を行う電力供給部と、前記一対の握り片の開閉に連動して、開状態でオフとなるとともに、閉状態でオンとなり電力供給部から装置本体への通電を実行する動作スイッチと、を有することを最も主要な特徴とする。
【発明の効果】
【０００８】
請求項１記載の発明によれば、トリートメント実行者が一対の握り片の握り込みで毛髪を挟んだまま、この一対の握り片を例えば毛髪の長さ方向に沿って移動させる簡略操作を行うだけで、何等の頭髪栄養剤を使用することなく、超音波振動による毛髪の豊潤軟化と毛髪へのマイナスイオン浸透によるキューティクル改善作用、コルテックス改善作用が進行し、これにより、毛髪の簡略、かつ、適正なトリートメントを実現することができるとともに、パーマ剤やストレートパーマ剤、更には、適宜の頭髪栄養剤を使用してトリートメントするような場合には、毛髪に超音波、マイナスイオンを作用させつつ、パーマ剤やストレートパーマ剤の髪への浸透を良好にしながら毛髪を簡略、かつ、適正にトリートメントすることができる新規で斬新な毛髪トリートメント装置を実現し提供することができる。
【０００９】
請求項２記載の発明によれば、請求項１記載の発明と同様、トリートメント実行者が一対の握り片の握り込みで毛髪を挟んだまま、この一対の握り片を例えば毛髪の長さ方向に沿って移動させる簡略操作を行うだけで、超音波振動による毛髪の豊潤軟化と毛髪へのマイナスイオン浸透によるキューティクル改善作用、コルテックス改善作用が進行し、これにより、何等の頭髪栄養剤を使用することなく、毛髪の簡略、かつ、適正なトリートメントを実現することができるとともに、パーマ剤やストレートパーマ剤、更には適宜の頭髪栄養剤を使用してトリートメントするような場合には、毛髪に超音波、マイナスイオンを作用させつつ、パーマ剤やストレートパーマ剤の髪への浸透を良好にしながら毛髪を簡略、かつ、適正にトリートメントすることができ、しかも、電源ケーブルの絡みを防止しつつ快適な操作性を得ることができる新規で斬新な毛髪トリートメント装置を実現し提供することができる。
【００１０】
請求項３記載の発明によれば、一対の握り片における髪押圧部、髪受部の形状を、長楕円形状、長方形状又は略円形状から選択される形状とした構成の基に、請求項２記載の発明と同様、トリートメント実行者が一対のトリートメント握り片の握り込みで毛髪を挟んだまま、この一対のトリートメント握り片を例えば毛髪の長さ方向に沿って移動させる簡略操作を行うだけで、超音波振動による毛髪の豊潤軟化と毛髪へのマイナスイオン浸透によるキューティクル改善作用、コルテックス改善作用が進行し、これにより、何等の頭髪栄養剤を使用することなく、毛髪の簡略、かつ、適正なトリートメントを実現することができるとともに、パーマ剤やストレートパーマ剤或いは適宜の頭髪栄養剤を使用してトリートメントするような場合には、毛髪に超音波、マイナスイオンを作用させつつパーマ剤やストレートパーマ剤の髪への浸透を良好にしながら毛髪を簡略、かつ、適正にトリートメントすることができ、しかも、しかも、電源ケーブルの絡みを防止しつつ、快適な操作性を得ることができる新規で斬新な毛髪トリートメント装置を実現し提供することができる。
【００１１】
請求項４記載の発明によれば、ケーブルレス・バッテリ充電式の構成の基に、トリートメント実行者が一対の握り片の握り込みで毛髪を挟んだまま、この一対の握り片を例えば毛髪の長さ方向に沿って移動させる簡略操作を行うだけで、何等の頭髪栄養剤を使用することなく、超音波振動による毛髪の豊潤軟化と毛髪へのマイナスイオン浸透によるキューティクル改善作用、コルテックス改善作用が進行し、これにより、毛髪の簡略、かつ、適正なトリートメントを実現することができるとともに、パーマ剤やストレートパーマ剤、更には、適宜の頭髪栄養剤を使用してトリートメントするような場合には、毛髪に超音波、マイナスイオンを作用させつつ、パーマ剤やストレートパーマ剤の髪への浸透を良好にしながら毛髪を簡略、かつ、適正にトリートメントすることができ、かつ、電源ケーブル等の絡みを全く気にする必要が無い快適な操作性を得ることができる新規で斬新な毛髪トリートメント装置を実現し提供することができる。
請求項５記載の発明によれば、イオン発生手段の動作の切り換えにより、マイナスイオン発生状態、プラスイオン発生状態の切り換えが自在にできるように構成した請求項１乃至４の毛髪トリートメント装置を実現し提供することができる。
【図面の簡単な説明】
【００１２】
【図１】図１は本発明の実施例に係る毛髪トリートメント装置の概略斜視図である。
【図２】図２は本実施例に係る毛髪トリートメント装置の開状態の概略斜視図である。
【図３】図３は本実施例に係る毛髪トリートメント装置の閉状態の概略側面図である。
【図４】図４は本実施例に係る毛髪トリートメント装置の髪押圧部、髪受部の変形例の拡大説明図である。
【図５】図５は本実施例に係る毛髪トリートメント装置の操作部の部分拡大図である。
【図６】図６は本実施例に係る毛髪トリートメント装置の全体構成の概略ブロック図である。
【図７】図７は本実施例に係る毛髪トリートメント装置の動作説明図である。
【図８】図８は本実施例の変形例に係る毛髪トリートメント装置の概略斜視図である。
【発明を実施するための形態】
【００１３】
本発明は、何等の頭髪栄養剤を使用することなく、毛髪に超音波、マイナスイオンを作用させつつ毛髪を簡略、かつ、適正にトリートメントすることができるとともに、パーマ剤やストレートパーマ剤更には適宜の頭髪栄養剤を使用してトリートメントするような場合には、毛髪に超音波、マイナスイオンを作用させつつパーマ剤やストレートパーマ剤の髪への浸透を良好にしながら毛髪を簡略、かつ、適正にトリートメントすることができる新規で斬新な毛髪トリートメント装置を実現し提供するという目的を、各々基端側を軸支部により開閉可能に軸支され、各突出側の対向面側に毛髪を挟み込む髪押圧部、髪受部を設けた一対の握り片を有する装置本体と、前記装置本体に搭載され、前記髪押圧部を経て挟み込まれた毛髪に超音波振動を作用させる超音波発生手段、及び前記毛髪にマイナスイオンを作用させるイオン発生手段と、前記握り片の外面領域に設けられ、前記超音波発生手段及びイオン発生手段の動作選択を行うスイッチ類、動作状態を示すランプ類を備えた操作部と、商用電源と前記装置本体の握り片の後端部との間にケーブル接続されることで、前記握り片の後端部を経て装置本体に対する所要の電力供給を行う電力供給部と、前記軸支部よりも後端部側に配置され、一対の握り片の開閉に連動して、開状態でオフとなるとともに、閉状態でオンとなり電力供給部から装置本体への通電を実行する動作スイッチと、前記握り片の後端部におけるケーブル接続部に設けたケーブルの絡みを防止する絡み防止接続機構部と、を有する構成により実現した。
【実施例】
【００１４】
以下、本発明の実施例に係る毛髪トリートメント装置について、図１乃至図７を参照して詳細に説明する。
【００１５】
本実施例に係る毛髪トリートメント装置１は、図１乃至図５に示すように、各々基端側を略円筒状の軸支部３により開閉可能に軸支した細長直方体状の一対の握り片１１、１２を有する装置本体２を備えている。
【００１６】
前記一対の握り片１１、１２は、軸支部３により軸支されつつ各突出側の対向面側を当接、解放可能に構成され、また、一対の握り片１１、１２の対向面間に毛髪Ｈを挟み込み毛髪Ｈのトリートメントを行うように構成している。
【００１７】
すなわち、一対の握り片１１、１２の対向面には、超音波、イオンを放射する例えば長楕円形状で、かつ、薄板状の髪押圧部１３と、この髪押圧部１３に対応する形状の髪受部１４とを設けている。
【００１８】
前記髪押圧部１３、髪受部１４の形状としては、長楕円形状とする他、略円形状としたり、図４に示すように、櫛歯状に形成して櫛の歯の突端部から超音波、マイナスイオンを放出する構成とすることもできる。
【００１９】
前記一対の握り片１１、１２のうちの例えば一方のトリートメント握り片１１の内部には、図示省略するが前記髪押圧部１３を経て、すなわち、髪押圧部１３を超音波振動させて挟み込まれた毛髪Ｈに超音波振動を作用させる例えば周波数（出力波形）１ＭＨｚ±１０％の超音波を発生する超音波発生手段２１、及び前記前記髪押圧部１３を経て毛髪Ｈに例えば１ｃｃ当たり１００万個のマイナスイオンを作用させるイオン発生手段２２を配置している。
【００２０】
前記超音波発生手段２１は、例えば圧電セラミックスに電圧８０（Ｖｐｐ）を印加して超音波を発生させる構成としている。また、前記超音波発生手段２１を構成する超音波振動子は、セラミック配合１６パイで、厚さ２ｍｍ、発振周波数を１ＭＨｚの仕様としている。
【００２１】
前記イオン発生手段２２は、二つの電極により＋電圧と−電圧とを印加する構成で、電圧仕様は、出力波形：デューティ（Ｄｕｔｙ）５０％、１ＫＨｚの方形波、イオン周波数１ＫＨｚ、＋イオン電圧：＋６Ｖ、−イオン電圧：−６Ｖ、電流０．１ｍＡ以下の仕様としている。
【００２２】
本実施例に係る毛髪トリートメント装置１は、図５にも示すように、一対の握り片１１、１２のうち、一方の握り片１１の外面の一部の領域に表出するように搭載した前記超音波発生手段２１及びイオン発生手段２２の動作選択を行う押しボタン式の超音波スイッチ２３、イオンスイッチ２４からなるスイッチ類、及び超音波発生ランプ２３ａ（例えば赤色ランプ）、マイナスイオン発生ランプ２４ａ、プラスイオン発生ランプ２４ｂ、イオンランプ２５、正常な作動時にランプがつくように構成した電源ランプ２６を含む表示ランプ類を備えた操作部２７と、前記軸支部３に関して前記髪押圧部１３、髪受部１４とは反対側において前記一方の握り片１１と、他方の握り片１２との双方にわたって組み込まれ、前記一対の握り片１１、１２の開、閉に連動して前記超音波発生手段２１及びイオン発生手段２２を動作停止状態、又は動作開始状態とする動作スイッチ３１と、を有している。
【００２３】
前記動作スイッチ３１は、図１、図２に示すように前記握り片１１、１２が開状態にあるとき作動子が押されてオフ、図３に示すように前記握り片１１、１２が閉状態にあるとき作動子が変位してオンとなるような例えばマイクロスイッチ及び電気回路からなるスイッチ構造としている。
【００２４】
そして、前記イオンスイッチ２４を順に複数回押下することにより、イオン発生手段２２の動作を切り換え、イオンランプ２５の点灯、消灯、マイナスイオン発生ランプ２４ａの点灯状態でのマイナスイオン発生状態、プラスイオン発生ランプ２４ｂの点灯状態でのプラスイオン発生状態の切り換えを行うように構成している。
【００２５】
また、前記超音波スイッチ２３は、順に複数回押下することで、前記超音波発生ランプ２３ａの点灯状態での超音波発生状態、超音波発生ランプ２３ａの消灯状態での超音波発生停止状態の切り換えを行うように構成している。
【００２６】
次に、本実施例に係る毛髪トリートメント装置１における電力供給部４１について説明する。
【００２７】
前記電力供給部４１は、図１に示すように、例えば商用電源であるＡＣ１００Ｖのコンセントに接続されるＡＣプラグ４２、ＡＣ・ＤＣアダプタ４３、ＡＣプラグ４２、ＡＣ・ＤＣアダプタ４３を接続する電源ケーブル４４、ＡＣ・ＤＣアダプタ４３から導出されて、前記装置本体２の端部に接続した通電ケーブル４５を具備している。
【００２８】
また、前記電力供給部４１は、前記握り片１２に内蔵した前記超音波発生手段２１、イオン発生手段２２等に各々所要の電力供給を行う電源回路部４６を具備している。
【００２９】
前記通電ケーブル４５の装置本体２への接続部分には、通電ケーブル４５の絡みを防止するための例えば接点回転接触構造の絡み防止接続機構部４７を設けている。
【００３０】
次に、本実施例に係る毛髪トリートメント装置１の制御系について図６を参照して説明する。
【００３１】
本実施例の毛髪トリートメント装置１は、前記装置本体２に超音波発生手段２１、イオン発生手段２２、電源回路部４６を搭載している。
【００３２】
前記制御系は、装置本体２全体の動作プログラムを格納したプログラムメモリ５２、全体の制御を行う制御部５１を搭載している。
【００３３】
そして、前記制御部５１に前記超音波スイッチ２３、前記イオンスイッチ２４、超音波発生手段２１、イオン発生手段２２を接続し、更に、制御部５１に前記超音波発生ランプ２３ａ、マイナスイオン発生ランプ２４ａ、イオンランプ２５、プラスイオン発生ランプ２４ｂ、電源ランプ２６を接続し、前記制御部５１によりこれら各要素の動作制御を実行するように構成している。
【００３４】
また、前記通電ケーブル４５は、前記動作スイッチ３１を介して前記電源回路部４６に接続され、電源回路部４６から制御部５１、超音波発生手段２１、イオン発生手段２２等に所要の電力供給を行うように構成している。
【００３５】
次に、図７をも参照して、本実施例に係る毛髪トリートメント装置１の動作について説明する。
【００３６】
本実施例に係る毛髪トリートメント装置１により毛髪Ｈ（例えば頭髪）のトリートメントを実行するに際して、まず、ＡＣ１００ＶのコンセントにＡＣプラグ４２を接続する。
【００３７】
そして、一対の握り片１１、１２を片手に持ち、これらを図３に示すように閉じるようにして任意本数の毛髪Ｈ（例えば頭髪）を挟み込む。これにより、前記動作スイッチ３１はオンとなる。
【００３８】
次に、前記超音波スイッチ２３を操作して超音波発生ランプ２３ａの点灯、電源ランプ２６の点灯状態での超音波発生状態とするとともに、イオンスイッチ２４を操作してマイナスイオン発生ランプ２４ａの点灯状態でのマイナスイオン発生状態とする。
【００３９】
この状態で、一対の握り片１１、１２を片手に持ち、握り片１１、１２の髪押圧部１３、髪受部１４の間に挟み込んだ任意本数の毛髪Ｈ（例えば頭髪）に対してトリートメント操作を実行する。
【００４０】
すなわち、前記超音波発生手段２１及びイオン発生手段２２の動作によって、髪押圧部１３を経て、超音波が毛髪Ｈに作用し、同時にイオン発生手段２２の動作によって前記髪押圧部１３を経て毛髪Ｈにマイナスイオンが作用する。この状態で、トリートメント実行者は、一対の握り片１１、１２を握りつつ、一対の握り片１１、１２を例えば毛髪Ｈの長さ方向に沿って移動させる。
【００４１】
このような動作により、何等の頭髪栄養剤を使用することなく、超音波振動による毛髪Ｈの豊潤軟化と毛髪Ｈへのマイナスイオン浸透によるキューティクル改善作用、コルテックス改善作用が進行する。
【００４２】
この結果、毛髪Ｈの簡略、かつ、適正なトリートメントを実現することができるとともに、パーマ剤やストレートパーマ剤或いは適宜の頭髪栄養剤を使用してトリートメントするような場合には、毛髪に超音波、マイナスイオンを作用させつつパーマ剤やストレートパーマ剤の髪への浸透を良好にしながら毛髪を簡略、かつ、適正にトリートメントすることができる。
【００４３】
また、本実施例に係る毛髪トリートメント装置１においては、前記超音波スイッチ２３、イオンスイッチ２４の操作選択で、毛髪Ｈに対する超音波振動とマイナスイオンとの同時付与、超音波振動のみの付与、マイナスイオンのみの付与という多様な態様でのトリートメントを実現することも可能である。
【００４４】
本実施例に係る毛髪トリートメント装置１における毛髪Ｈのトリートメントの態様としては、ストレート、クリニック、カール等の例を挙げることができ、いずれの場合も簡略、かつ、適正なトリートメントを実現することができる。
【００４５】
なお、図示しないが、本実施例に係る毛髪トリートメント装置１に温度調節可能なヒータ部を搭載し、毛髪Ｈを所望温度に加熱しつつ上述した本実施例のトリートメント操作を実行すれば、より効果的に適正なトリートメントを実現することも可能である。
【００４６】
次に、図８を参照して、本実施例に係る毛髪トリートメント装置１の変形例について説明する。
【００４７】
変形例に係る毛髪トリートメント装置１Ａにおいて、前記毛髪トリートメント装置１の各要素と同一の要素には同一の符号を付して示す。
【００４８】
変形例に係る毛髪トリートメント装置１Ａは、図８に示すように、毛髪トリートメント装置１の電力供給部４１の構成に替えて、ケーブルレス・バッテリ充電式の構成としたことが特徴である。
【００４９】
すなわち、変形例に係る毛髪トリートメント装置１Ａは、一対の握り片１１、１２のうちの握り片１２に、例えば電圧７．２Ｖ、２８００ｍＡＨ以上の仕様からなる充電バッテリー６１を搭載し、一対の充電用接点６２、６３を握り片１２の下面に露出配置している。
【００５０】
また、充電バッテリー６１の充電用接点６２、６３に接触させる電源側接点６４、６５を備え、毛髪トリートメント装置１Ａを着脱可能とした充電用ユニット６６を設け、この充電用ユニット６６に、既述した場合と同様な構成からなるＡＣプラグ４２、ＡＣ・ＤＣアダプタ４３、これらＡＣプラグ４２、ＡＣ・ＤＣアダプタ４３を接続する電源ケーブル４４、ＡＣ・ＤＣアダプタ４３から導出した通電ケーブル４５を有する電力供給部４１Ａから給電して、前記電源側接点６４、６５から充電用接点６２、６３を経て充電バッテリー６１にＤＣ７．２Ｖの電圧を供給して充電する構成としたことが特徴である。
【００５１】
そして、前記動作スイッチ３１のオン状態で、充電バッテリー６１から装置本体２の各部に電力供給を行うように構成している。
【００５２】
変形例に係る毛髪トリートメント装置１Ａによっても、上述した毛髪トリートメント装置１の場合と同様な作用、効果を発揮させることができる。
【００５３】
また、変形例に係る毛髪トリートメント装置１Ａによれば、ケーブルレス・バッテリ充電式の構成とし、毛髪トリートメント装置１Ａを充電用ユニット６６から外してトリートメント作業を実行でき、既述した毛髪トリートメント装置１と比較し、電源ケーブル４４や通電ケーブル４５の絡み等を全く気にすることなく、毛髪Ｈに対するトリートメント作業をより快適な操作性をもって実行することが可能となる。
【産業上の利用可能性】
【００５４】
本発明の毛髪トリートメント装置は、主として人体の毛髪用として適用されるが、例えば、人体の毛髪以外にも例えば犬猫等のような動物類の毛のトリートメント装置としても応用可能である。
【符号の説明】
【００５５】
１    毛髪トリートメント装置
１Ａ  毛髪トリートメント装置
２    装置本体
３    軸支部
１１    握り片
１２    握り片
１３    髪押圧部
１４    髪受部
２１    超音波発生手段
２２    イオン発生手段
２３    超音波スイッチ
２３ａ  超音波発生ランプ
２４    イオンスイッチ
２４ａ  マイナスイオン発生ランプ
２４ｂ  プラスイオン発生ランプ
２５    イオンランプ
２６    電源ランプ
２７    操作部
３１    動作スイッチ
４１    電力供給部
４１Ａ  電力供給部
４２    ＡＣプラグ
４３    ＡＣ・ＤＣアダプタ
４４    電源ケーブル
４５    通電ケーブル
４６    電源回路部
４７    絡み防止接続機構部
５１    制御部
５２    プログラムメモリ
６１    充電バッテリー
６２    充電用接点
６３    充電用接点
６４    電源側接点
６５    電源側接点
６６    充電用ユニット
Ｈ    毛髪
【図１】
2014233372.tif 000003
【図２】
2014233372.tif 000004
【図３】
2014233372.tif 000005
【図４】
2014233372.tif 000006
【図５】
2014233372.tif 000007
【図６】
2014233372.tif 000008
【図７】
2014233372.tif 000009
【図８】
2014233372.tif 000010